(57)【特許請求の範囲】
【請求項１】
ワイヤハーネスの幹線から分岐した支線端末に接続したコネクタを上記幹線に取り外し可能に固定する構造であって、
粘着剤が一面に塗布されたビニルテープを用い、上記コネクタの支線連結端より所要寸法あけた位置から反対側のコネクタ先端を越えた位置まで、該コネクタと上記幹線とにビニルテープを巻き付け、先端側では幹線のみに巻き付けて、該コネクタを幹線に粘着して取り付けており、該コネクタを幹線より外して使用する時には、上記支線を引っ張りあげると、ビニルテープの巻き付け部を幹線側に残した状態で、コネクタを引き抜ける構成としているコネクタのワイヤハーネスへの固定構造。
【発明の詳細な説明】
【０００１】
【発明の属する技術分野】
本発明はコネクタのワイヤハーネスへの固定構造に関し、詳しくは、自動車用のワイヤハーネスの幹線から分岐した支線端末に接続したオプション用等のコネクタを、幹線に取り外し可能に固定しておき、該コネクタを使用する場合には、幹線より取り外せるようにしているものである。
【０００２】
【従来の技術】
従来、自動車の車種に応じて使用する場合と不使用の場合があるオプション用コネクタあるいは、自動車に搭載するまでワイヤハーネス幹線に固定しておく必要があるコネクタは、図４に示すように、ワイヤハーネスＷ／Ｈの支線２の端末に接続したコネクタ３を幹線１に固定しておくため、支線２の先端側と幹線１とにテープ４を用いて固定している。
【０００３】
上記コネクタ３の使用する場合には、図５に示すように、テープ４を引き千切って、幹線１から支線２を分離して支線２を伸ばし、コネクタ３を所要位置に相手方コネクタ（図示せず）と嵌合する必要がある。そのため、上記テープ４として容易に切断できるものが用いられており、樹脂製テープの場合はスリット４ａが入ったテープが用いられている。このスリット入り樹脂テープに代えて紙テープを用いる場合もある。
【０００４】
【発明が解決しようとする課題】
上記スリット入り樹脂テープを用いた場合、あるいは、紙テープを用いた場合のいずれの場合も、図６に示すように、引き千切られたテープ４が支線２と幹線１の両方の残る場合が多い。また、支線２あるいは幹線１に粘着したままとならず、落下してフロア等に散乱する問題がある。
【０００５】
さらに、テープ４の巻き回数が多い場合は、非常に引き千切りにくく、作業性が悪い。特に、支線の電線本数が少なく、テープ４の巻き回数が多いと、テープ巻きによる固定力が大きくなり、テープの引き千切りが容易にできない問題がある。
【０００６】
本発明は上記問題に鑑みてなされたもので、テープが引き千切られた状態で電線側に残らず、また、落下して散乱せず、しかも、固定力を十分に保持しながら容易にコネクタを容易に幹線より取り外すことが出来るようにすることを課題としている。
【０００７】
【課題を解決するための手段】
上記課題を解決するため、本発明は、ワイヤハーネスの幹線から分岐した支線端末に接続したコネクタを上記幹線に取り外し可能に固定する構造であって、
粘着剤が一面に塗布されたビニルテープを用い、上記コネクタの支線連結端より所要寸法あけた位置から反対側のコネクタ先端を越えた位置まで、該コネクタと上記幹線とにビニルテープを巻き付け、先端側では幹線のみに巻き付けて、該コネクタを幹線に粘着して取り付けており、該コネクタを幹線より外して使用する時には、上記支線を引っ張り上げると、ビニルテープの巻き付け部を幹線側に残した状態で、コネクタが引き抜ける構成としているコネクタのワイヤハーネスへの固定構造を提供している。
【０００８】
上記のように伸び性のあるビニルテープを用いて、コネクタ自体を幹線に巻き付け固定しておくと、該コネクタに接続した支線を引っ張ると、ビニルテープが伸びて、コネクタをビニルテープの巻き付け部から抜き出すことができる。即ち、テープを引き千切らず、巻き付け状態のまま幹線側に残すもので、この幹線側に残されるビニルテープは、巻き付け先端側を幹線に巻き付けた状態としているため、幹線に固定された状態で残ることができる。
【０００９】
【発明の実施の形態】
以下、本発明の実施形態を図面を参照して説明する。なお、図４に示す従来例と同一部材は同一符号を付す。
【００１０】
ワイヤハーネスＷ／Ｈの幹線１から分岐した支線２の端末にはオプション用のコネクタ３が接続されており、図１に示すように、支線２を幹線１の外周面に沿って長さ方向にはわせ、先端のコネクタ３と幹線１とに黒色の粘着ビニルテープ１０を巻き付けて、コネクタ３を幹線１に固定している。
【００１１】
上記黒色の粘着ビニルテープ１０は、ワイヤハーネスの電線群結束用として用いられている汎用品であり、ビニルテープの一面に粘着剤が塗布されており、粘着剤塗布面を内面として巻き付けることにより、巻き付け状態で粘着固定される。
【００１２】
上記コネクタ３と幹線１に巻き付ける粘着ビニルテープ１０は、コネクタ３の支線連結端３ａより所要寸法あけた位置Ｐ１から反対側のコネクタ先端３ｂを越えた位置Ｐ２まで巻き付けている。上記巻き付け始めの位置Ｐ１はコネクタ３の両端３ａと３ｂの略中央としており、よって、粘着ビニルテープ１０はコネクタ３の幅の約半分に巻き付けている。
【００１３】
巻き終わり位置Ｐ２はコネクタ先端３ｂより所要寸法離れた位置である。よって、コネクタ先端３ｂより離れた粘着ビニルテープ１０は巻径が小さくなり、正面視で傾斜した状態で、幹線１にのみ巻き付けられた状態となる。
【００１４】
上記のように粘着ビニルテープ１０により幹線１に固定されたコネクタ３を使用するため、幹線１より取り外す必要がある場合は、図２に示すように、支線２を矢印で示すように引っ張り上げる。この支線２の引っ張りによりコネクタ３が斜め上方へと引っ張られ、巻き付けていた粘着ビニルテープ１０が伸ばされて、コネクタ３を粘着ビニルテープ１０の巻き付け部から抜き出すことができる。
【００１５】
コネクタ３が抜き出されて、幹線１側に残った粘着ビニルテープ１０は、その巻き終わり側を幹線１に巻き付けて粘着固定しているため、幹線１に移動不可に固定された状態で残る。この粘着ビニルテープ１０は黒色として、幹線１の結束テープと同色としているため、目立つことがなく、残った粘着ビニルテープ１０により外観が悪くならない。
【００１６】
【発明の効果】
以上の説明より明らかなように、本発明によれば、幹線にオプション止めされたコネクタを使用する時、テープを引き千切る必要がなく、コネクタを接続した支線を引っ張りあげるだけで良いため、操作力を要せず、スムーズにコネクタおよび該コネクタに接続した支線を幹線より分離することができる。
【００１７】
また、テープが引き千切られた状態で支線側や幹線側に残らず、かつ、落下して散乱せず、幹線側に巻き付けられた状態で残るため、外観上必要としていたテープの後処理をする必要がなくなる。
【００１８】
さらに、テープをコネクタの先端側を越えて巻き付けているため、コネクタ先端側がテープによりカバーされた状態となり、よって、テープが防塵作用を果たす利点がある。
【００１９】
さらにまた、従来用いられていたスリット付きの粘着ビニルテープに代えて、ワイヤハーネスの結束に用いる通常の粘着ビニルテープを用いているため、コストを低下することができる。
【図面の簡単な説明】
【図１】  本発明の実施形態を示す正面図である。
【図２】  上記実施形態のコネクタを幹線より外す作業を示す正面図である。
【図３】  コネクタが幹線より外された状態を示す正面図である。
【図４】  従来例を示す正面図である。
【図５】  従来例のコネクタを幹線より外す作業を示す正面図である。
【図６】  従来例のコネクタが幹線より外された状態を示す正面図である。
【符号の説明】
１  幹線
２  支線
３  コネクタ
１０  粘着ビニルテープ
【図１】
0003713961.tif 000002
【図２】
0003713961.tif 000003
【図３】
0003713961.tif 000004
【図４】
0003713961.tif 000005
【図５】
0003713961.tif 000006
【図６】
0003713961.tif 000007